(57)【要約】      （修正有）【課題】従来の天びん用除振台は、重く大きいため、設置場所や購入に制限があった。【解決手段】小型で持ち運ぶことができる本発明は、天びん除振台として普及しやすい。構造がシンプルなため分解も容易であり、海砂１の量や大理石２の厚さ、大きさで用途に合わせることができる合理性がある。使用しなくなった場合の処分も環境に付加を与えないため有利である。【選択図】図１
2018035933.tif 000002
【特許請求の範囲】
【請求項１】
電子天秤を設置するための適正なサイズの箱を有し、その中に海砂を敷き詰めて、その海砂の上に電子天秤を載せるための必要最小の広さを持つ大理石または相当する板を載せ、大理石の板または相当する板は一定の厚さと重さがあり、海砂の量は天秤に振動を与えない深さを有し、大理石の板または相当する板は海砂の上に安定して載っていることを特徴とする除振台。
【請求項２】
適正なサイズの箱を有し、その中に海砂を敷き詰めて、その海砂の上に設置するものの必要最小の広さを持つ大理石または相当する板を載せ、大理石の板または相当する板は一定の厚さと重さがあり、海砂の量は設置するものに振動を与えない深さを有し、大理石の板または相当する板は海砂の上に安定して載っていることを特徴とする除振台。
【請求項３】
作業台の真ん中をボックス上にくりぬいた構造を有し、その中に海砂を敷き詰めて、その海砂の上にものを載せるための必要最小の広さを持つ大理石または相当する板を載せ、大理石の板または相当する板は一定の厚さと重さがあり、海砂の量はものに振動を与えない深さを有し、大理石の板または相当する板は海砂の上に安定して載っていることを特徴とする除振台。
【発明の詳細な説明】
【技術分野】
【０００１】  本発明は、電子天びん用除震台に関する
【背景技術】
【０００２】  天びんは設置した台が振動すると正しい質量を測定できないため、正確な測定には除震台を必要とする。振動は建物の外部からと建物の内部のコンプレッサーやモーターの振動などがある。さおの傾きを光学的方法によって高倍率に拡大して量るミクロ化学天びんやウルトラミクロ化学天びんでの精密な質量の測定には必須である。そのため、除震台が多く開発されているが、中には１００−２００キロの重さを有するものもあり、設置が不能の環境もある。【０００３】ミクロ化学天びんやウルトラミクロ化学天びんは有機元素分析計の発達に伴って開発されてきたものであり、質量測定の性能は有機元素分析計の分析精度に大きくかかわっている。有機元素分析計が求める分析誤差２σ＝０．３％に対応して求められる質量測定精度を満たすためには、設置する場所の振動の影響は極力避けなければならない状況にあった。【０００４】しかしながら、電子天びんが開発されて、測定の原理が電気的なものになったため、一部の振動の影響は少なくなった。さらに、電子天びんには温度変化や湿度、磁場の影響など振動以外にも不安定になる要因があるため、安定状況を示す機能がついており、秤量時の安定している状態を確認できる。さらに、その安定化機能が除震の効果を評価できる。
【先行技術文献】
【非特許文献】
【０００５】
【非特許文献１】有機微量定量分析  （有機微量分析懇談会編集）１９６９年  南港堂出版Ｐ２１−２２
【０００６】
【非特許文献２】第６８回日本分析化学会有機微量分析研究懇談会要旨集  ９（２００１）
【発明の概要】
【発明が解決しようとする課題】
【０００７】  ミクロ、ウルトラミクロ級の秤量には、温度湿度の管理が重要であるが、エアコンの設置状況が悪かったり、天びんとの調整がうまくいかないなどの場合に、環境の良いところへ移動して使用すると良い。電子天秤が軽量化され容易に持ち運べることから、天秤台も持ち運びが容易なものが望ましく、シンプルでフレキシブルな構造を有し、移動や設置の容易である除震台を提供することを目的とする。
【課題を解決するための手段】
【０００８】上記目的を解決する本発明は、電子天秤を設置するための適正なサイズの箱を有し、その中に海砂を敷き詰めて、その海砂の上に電子天秤を載せるための必要最小の広さを持つ大理石または相当する板を載せ、大理石の板または相当する板は一定の厚さと重さがあり、海砂の量は天秤に振動を与えない深さを有し、大理石の板または相当する板は海砂の上に安定して載っていることを特徴とする。
【発明の効果】
【０００９】本発明の効果は電子天秤が振動の影響を受けないで正しい質量の測定ができることである。【００１０】本発明により天びん及び天びん台の移動が容易になり、どこでも設置できて容易に使用できるようになる。使用時の天びんに最適な環境を選んで移動することが可能になる。【００１１】また、本発明は必要十分な環境で使用することが可能であるため、作業時間中を通して厳密に空調設備による調整を必要とせず、電気エネルギーの損失をおさえることができる。【００１２】また、ミクロ、ウルトラミクロ級の秤量は専門の天びんに関する知識と熟練を要するものとして認識されてきたが、本発明によれば設置環境を適正にして注意深く測定すれば、特に技術を要することもない。秤量が正しく行われているかどうかを、繰り返し測定したデータの天びんのプログラムによる統計計算により、秤量技術を評価することができる。
【図面の簡単な説明】
【００１３】
【図１】  本発明の除震台の構成図である
【図２】  本発明を証明する天びんの安定化機能（実施例）である。
【図３】  本発明における秤量評価に用いたアルミ箔ボートである（実施例）
【図４】  本発明における秤量評価である（実施例）
【図５】  本発明における天びんメーカーによる性能証明である
【図６】  本名発明における実施の有機元素分析法のフローチャートである。
【図７】  本発明における除震台の性能を元素分析〔実施例〕で証明するものである。
【発明を実施するための形態】
【００１４】以下本発明の実施の形態を図１−７に基づいて説明する。除震台はミクロ、ウルトラミクロ電子天びんが設置できるくらいの面積と除震効果のある深さを持つ箱型のものである。箱の中に海砂を入れる。深さは１０−３０ｃｍくらいで、除震効果を確認できれば良い。その上に大理石または同じくらいの重さの代理できる厚さ２−３ｃｍの板を載せる。それを机や実験台の上において、天びんを大理石に設置する。机や実験台の近くで飛び跳ねてみて、除震効果があるかどうか、天びんのスタビリティインディケーターランプの点灯を観察する。電子天びんは内蔵のマイクロプロセッサーにより重量値の最終桁を常時コントロールする機能があり、安定性基準を設けて、その基準を満たしていると判断した場合はスタビリティインディケーターを表示する。ウルトラミクロ電子天びんの最終桁は０．１μｇであるので、安定性基準は精密であり、正確に測れる状況を判断している。従って、除震効果については、ウルトラミクロ電子天びんで十分知ることができる。海砂の量と大理石の厚みで調節すればよい。
【実施例】
【００１５】  図１の構成による天びん台で、電子天びんの秤量精度を確認する。図３のようなアルミ箔ボートを２０回計量し、統計値を天びんに備わる機能により出力する。標準偏差が求める正確さ以内を示していれば良い。図４に天びん自動出力印字記録を示しているが標準偏差は０．０００１０ｍｇで有機元素分析測定用に十分な精度であることを確認できる。【００１６】図２は発明の除振台に設置した天びんの安定性基準が保たれて、スタビリティインディケーターが表示されている状態である。実施の天びんはザートリウスウルトラミクロ天びんＳ２であるが、最小秤量値が０．１μｇであり、振動がこの質量変化以内であれば安定性基準が保たれていると判断されて、スタビリティインディケーターが表示される。【００１７】さらに、図５にＪＣＳＳはかり校正計り事業者により得たＪＣＳＳ校正証明書を示す。天びんはトレーサビリティが確立しており、国家標準または国際標準に繋がる測定のきれめのない管理状態が求められる。明確なトレーサビリティを証明するものとして、計量トレーサビリティ制度ＪＣＳＳ（Ｊａｐａｎ  Ｃａｌｉｂｒａｔｉｏｎ  Ｓｅｒｖｉｓ  Ｓｙｓｔｅｍ）があり、ＪＣＳＳ校正証明書により校正値と不確かさが付されて、はかりの測定値に対し、その正確さを証明される。したがって、このトレーサビリティの証明が取れれば、天びんの性能が評価され、それによって天びん台の除震効果も評価される。発明の方法による除振台で，ウルトラミクロ天びんのＪＣＳＳ校正証明書を得た。【００１８】さらに、天びんによる質量測定の正確さは、有機元素分析法により化学的に証明される。有機元素分析は各元素の含有％を求める方法であるが、高度に精製された構造の確定している有機化合物を用いて分析し、分析結果がその理論値に合致すれば質量測定の正しさが証明される。発明の方法で設置されたウルトラミクロ電子天びんを用いて図６に示すフローチャートに従って有機元素分析を行い、その結果を表１に示す。【００１９】有機元素分析の方法は図６に示すように
１．試料を量り，９５０度に設定された加熱炉の中の燃焼管に挿入する。
２．酸素を添加して燃焼し、発生したＣＯ２、Ｈ２Ｏ、ＮＯ２はキャリヤーガスＨｅによ    って５５０度に設定された還元炉の中の還元銅をつめた還元管でＮＯ２がＮ２に還元    される。
３．ＣＯ２、Ｈ２Ｏ、Ｎ２は定量ポンプに送られＨｅで均一に希釈されて検出系へ送られ    る。
４．ＴＣＤ検出器であらかじめ作成した検量線を用いて分析値％を算出する。
以上の方法で求められた分析値が、その化合物の理論値に許容誤差±０．３％内であればその構造は化学的に証明される。【００２０】表１に以上の実施例を示す。有機元素分析用標準試料キシダ化学製ｓｐ−１５を用いて各質量量り、分析した結果、炭素（Ｃ）５．３μｇ、水素（Ｈ）１．０μｇの検出が可能であり、１７１．７μｇの試料量で理論値と許容誤差（構造決定に必要とされる許容誤差）内に入っている。
【表１】
2018035933.tif 000003
【００２１】以上、本発明は有機元素分析測定により含有％のわかる有機元素分析用標準試料が必要な誤差内で正確に計測されたことを説明した。図７は有機元素分析用標準試料と天びん質量と分析装置検出量と計算ソフトウエアの関係を示す。天びん質量や分析装置検出量は自動出力で、客観的な信憑性がある。この関係性によって有機元素分析の信頼が示される。これは、すなわち正確な秤量を行っている証明であり、天びんに影響を与える諸要因及び天びん台の除震効果が十分であることを示すものである。
【産業上の利用可能性】
【００２２】  本発明の方法は医薬品やその他産業用試料の純度の判定や品質検査用として用いる天びんの精度を保証するものであり、その利用は著しく産業上の利用に貢献できるものである。この除震台は、計量小型であるために設置場所を選ばずすこぶる使い勝手が良いため普及しやすい。
【符号の説明】
【００２３】１．海砂
２．大理石
３．ＢＯＸ
【図１】
2018035933.tif 000004
【図２】
2018035933.tif 000005
【図３】
2018035933.tif 000006
【図４】
2018035933.tif 000007
【図５】
2018035933.tif 000008
【図６】
2018035933.tif 000009
【図７】
2018035933.tif 000010